(57)【要約】【課題】マグネットを用いた絵柄等の変化を楽しみ、あるいは文字や図形等の作成または囲碁・将棋等の攻撃防御訓練等を学ぶ。【解決手段】製本化された複数枚の予め印刷が施された紙葉をカバーするカバー片又は表紙の一端に、折り返して各紙葉間に差し込みが可能な着磁または帯磁性の磁着シートを連設させてなる。磁着シートを折り返して任意の紙葉間に下敷き代わりに差し込むことにより、各頁毎にマグネットつきの紙片や駒を目的頁の予め印刷が施された必要箇所に対して直接に付着させて任意の文字や絵柄等を形成して遊び、将棋や囲碁等の駒を予め印刷された説明箇所に直接に付着させて学習することができ、解説頁との関係で注目目線を常時大きく移動して切り替える必要がなく、頁上の解説箇所をその都度見失うことが殆どない。磁着シート以外は普通の紙葉で全体として著しく軽量化が可能であるばかりでなく安全性が高く、低コスト化が可能となる。【選択図】図１
2009181004.tif 000002
【特許請求の範囲】
【請求項１】
製本化された複数枚の予め印刷が施された紙葉を外側からカバーするカバー片又は表紙の自由端に、折り返して各紙葉間に差し込みが可能な磁着シートを連設させてなることを特徴とした遊戯・学習具。
【請求項２】
磁着シートが帯磁性材料からなるものであるところの請求項１に記載の遊戯・学習具。
【請求項３】
磁着シートが、薄い金属板や金属箔等の着磁性材料からなるものであるところの請求項１に記載の遊戯・学習具。
【発明の詳細な説明】
【技術分野】
【０００１】
本発明は、マグネットを用いた絵柄等の変化を楽しみ、あるいは文字や図形等の作成または囲碁・将棋等の攻撃防御訓練、あるいは運動のイメージトレーニング等を学ぶことができる学習具に関し、軽量で安全性が高く、しかも安価で取り扱い性を良好にすることを目的とする。
【背景技術】
【０００２】
従来、印刷が直接施されたスチールペーパーあるいはステンレス材を埋め込んだ印刷台紙上にマグネットを貼って遊ぶ絵本などはこれまでに数多く市販されている。また台紙上にマグネットを磁着させながら遊ぶようにした絵本も知られている（実開平１−５９６５８号公報参照）。また解説本の末尾の頁に将棋の駒などの遊具を付着させた遊戯盤を取り付けて解説を読みながら遊具を移動させて理解しやすくした磁石式遊戯盤付きの本も知られている（実開昭５１−１０４０１４号公報参照）。
【０００３】
また同じく囲碁、将棋、連珠、チェス等の解説書において、本文を開いた状態で左右いずれか一方の頁に対して折り返し自在の磁石盤等を取り付けた独習用補助具を表紙の周縁に一体又は着脱可能に取り付けるとともに、一方の頁上に磁石盤を重ねて他方の頁の解説を読み終えた後に上記補助具を反対側に移動させて別の頁を読むようにした独習用補助具付き教本も知られている（実公昭６３−２６８４１号公報参照）。
【特許文献１】実開平１−５９６５８号公報
【特許文献２】実開昭５１−１０４０１４号公報
【特許文献３】実公昭６３−２６８４１号公報
【発明の開示】
【発明が解決しようとする課題】
【０００４】
しかしながら、上記した印刷が直接施されたスチールペーパーあるいはステンレス材を埋め込んだ印刷台紙上にマグネットを貼って遊ぶ絵本などにあっては、製本化が困難であり、またマグネットを貼る面積を増やせば絵本の重量が著しく嵩み、実用性に欠けるという問題がある。
【０００５】
また特許文献１に記載の台紙上にマグネットを磁着させながら遊ぶようにした絵本は、絵本を構成する各紙葉毎に内部に鉄板を装入する必要があり、その結果各紙葉の集合体としての絵本の重量が嵩み、特に幼児にとっては取り扱い性の面であまり好ましいものではない。また経時的使用に伴って各紙葉の角部分が摩耗して薄い金属板の角部分が露出し、思わぬ怪我をすることも多かったため改善が望まれていた。
【０００６】
また特許文献２のものは、解説本末尾の頁に取り付けられた磁石式遊戯盤上においてのみ遊具の移動等の扱いが可能なものであり、さらに特許文献３のものにおいても表紙の周縁に取り付けられたところの磁石盤等を取り付けた独習用補助具の面上においてのみ将棋等の駒の移動等の扱いが可能なものであるため、いずれのものにおいても磁石等による遊具や独習用駒の移動取り扱い場所が限定される結果、解説頁との関係で注視目線を常時大きく移動して切り替える必要があり、頁上の解説箇所をその都度見失いやすいなど学習具としても必ずしも十分とはいえない。
【課題を解決するための手段】
【０００７】
本発明は上記した従来技術における各種の課題を解決し、軽量かつ安全性が高く、しかも安価に生産が可能であるばかりでなく、とくにマグネットを用いた移動駒を本等の全頁に亘って、各頁上において移動付着させつつ遊び、また学習することができるようにしたものであって、具体的には製本化された複数枚の予め印刷が施された紙葉をカバーするカバー紙の一端に、折り返して各紙葉間に差し込みが可能な着磁または帯磁性の磁着シートを連設させてなることを特徴とした遊戯・学習具に関する。
【発明の効果】
【０００８】
本発明は、製本化された複数枚の予め印刷が施された紙葉をカバーするカバー片又は表紙の一端に、折り返して各紙葉間に差し込みが可能な着磁または帯磁性の磁着シートを連設させてなるものであるために、磁着シートを折り返して任意の全ての頁の紙葉間に下敷き代わりに差し込むことが可能となり、これにより各頁毎にマグネットつきの紙片や駒を目的頁の予め印刷が施された必要箇所に対して直接に付着させて任意の文字や絵柄等を形成して遊び、あるいは将棋や囲碁等の駒を予め印刷された説明箇所に直接に付着させて学習することができるために解説頁との関係で注視目線を常時大きく移動して切り替える必要がなく、頁上の解説箇所等をその都度見失うことが殆どない。
【０００９】
また、磁着シート以外は普通の紙葉であるために全体として著しく軽量化が可能であるばかりでなく安全性が高く、また低コスト化が可能であり、携帯性にも優れるところから絵本や戦闘、球技など多用な遊戯具を提供できるばかりでなく、学習具としても既述したもの以外にも多用な用い方が可能となる。
【発明を実施するための最良の形態】
【００１０】
以下において本発明の具体的な内容について図面をもとに説明をすると、図において１はカバー紙、２はカバー紙１の片側のカバー片１ａの端縁に連設された着磁シート、４はカバー紙１の中央部に一端を綴じこんで製本化した複数枚の紙葉を、それぞれあらわしている。カバー紙１は中央部を境に左右一対のカバー片１ａおよび１ｂからなり、その中央部には複数枚の予め印刷（図面上では省略されている）が施された紙葉４が、一端をそれぞれ糊づけなどにより固定保持させて製本化されており、カバー紙１は製本化された複数枚の予め印刷が施された紙葉を外側からカバーするようになっており、一般的には製本化して内部に綴じ込まれた紙葉４に比して幾分厚手のものが用いられる。なおこの場合に用いられるカバー紙１や紙葉４の材質については、一般的な紙類のほかに樹脂系のものも含まれる。
【００１１】
一方のカバー片１ａには、その自由端に、折り返して上記した各紙葉４・４間あるいは紙葉４とカバー片１ａ又は１ｂとの間に差し込みが可能な磁着シート２が連設されている。なおこの場合に磁着シート２はカバー片１ｂの自由端に連設させるようにし、あるいは自由端ではなくカバー片１ａ又は１ｂの側端部１ｃ・１ｄ・１ｅ・１ｆ（図１参照）のいずれかに連設させるようにしてもよい。また磁着シート２については、上記したようにカバー紙１の片側のカバー片１ａの端縁に連設させる場合のほかに、紙葉４を綴じて製本化した表紙（図示省略）の自由端に連設させるようにしてもよい。
【００１２】
さらに着磁シート２は、この場合層内に薄い帯磁性材料３をラミネートさせて構成しているが、単に表裏いずれかの面に貼り付けただけでもよく、また薄い金属板や金属箔のような着磁性材料を貼り付け、または層内にラミネートさせて構成してもよい。さらに着磁シート２は、それ自体を帯磁性材料又は着磁性材料により構成するようにしてもよい。
【００１３】
なおこの場合に用いられる帯磁性材料３として好適な一例を挙げると、鉄箔の両面に紙をラミネートさせた磁石と着磁が可能なアイアンペーパー（北越パッケージ（株）製造の「ＭＨ−ネオアルファ」あるいは「ＭＨ−ネオボール」）、あるいは同様に鉄箔とコート紙を複層化したスチールペーパー（ニチレイマグネット（株）製造）などの使用が望ましい。
【００１４】
さらにカバー紙１の片側のカバー片１ａまたは表紙の自由端に連設させた着磁シート２は、カバー片１ａまたは表紙との連設部分により図２に表したように折り返しが自在に構成されており、折り返した着磁シート２を当面利用する紙葉４の裏面側に下敷き代わりに差し込むとともに、紙葉４の表面に予め施された印刷画面、あるいは印刷された文章に合わせて紙葉４の面上における必要箇所に絵柄や象形図、あるいは単体文字や記号等をあらわす任意のマグネットピースＰを置くことにより、マグネットピースＰは紙葉４の裏面に位置する着磁シート２に磁着して紙葉４の表面上に固定される（図３を参照）。
【００１５】
なお、この場合に用いられるマグネットピースＰについては、着磁シート２側が帯磁性のものであれば、単に少なくとも一部に金属片など着磁性のものが取り付けられていればよく、反対に着磁シート２側が単に薄い金属板や箔が用いられている場合においては、少なくとも一部に帯磁性の材料が取り付けられている必要がある。要するにこの場合、マグネットピースＰまたは着磁シート２の少なくとも一方側に帯磁性を有していれば良く、相互に吸引磁着可能なものであればよい。
【００１６】
紙葉４に予め施される印刷については、例えば絵本として用いることを目的とした場合には動物や人物、あるいは風景等を、双六として用いることを目的とした場合には双六絵柄を、また戦闘遊戯具として用いることを目的とする場合には、相手方と相対して表示することが可能な戦闘機や武器、隠れ場所等の絵柄を、また野球や卓球その他の球技のとして用いる場合には、これらに対応した絵柄画面を印刷しておく。
【００１７】
さらに囲碁や将棋等の攻撃防御訓練等を自習することを目的とする場合には、囲碁または将棋の攻め手側又は守り手側などの少なくとも部分的な図面や絵柄等を印刷し、またダンスレッスンのイメージトレーニングを目的とする場合には、必要なベーシック足形を、それぞれ予め印刷しておく等、遊戯あるいは学習具としての使用の目的如何により、それらに対応する必要な図面や絵柄、対応説明等を印刷しておく。
【００１８】
なお上記した実施例においては、カバー紙１の中央部に囲碁や将棋等の自習を目的とした印刷が施されている複数枚の紙葉４の一端を綴じこんで製本化した片側のカバー片１ａに連設させて使用する場合について説明をしたが、このほかにも例えば教科書や各種の参考書、雑誌、文庫本等の表紙または裏表紙などの自由端に、折り返して該折り返し部分のシートを各紙葉間あるいは紙葉とカバー片または表紙（裏表紙）との間に差し込みが可能な磁着シートを連設して用いるようにしてもよい。
【図面の簡単な説明】
【００１９】
【図１】本発明の実施例である遊戯・学習具の平面展開図。
【図２】本発明に係る遊戯・学習具の一例をあらわした斜視図。
【図３】本発明に係る遊戯・学習具の使用状態をあらわした斜視図。
【符号の説明】
【００２０】
１      カバー紙
１ａ    カバー片
１ｂ    カバー片
１ｃ    カバー片の側端部
１ｄ    カバー片の側端部
１ｅ    カバー片の側端部
１ｆ    カバー片の側端部
２      着磁シート
３      帯磁性材料
４      紙葉
Ｐ      マグネットピース
【図１】
2009181004.tif 000003
【図２】
2009181004.tif 000004
【図３】
2009181004.tif 000005